(57)【要約】【課題】  簡易な操作で媒体の前方排出と後方排出とを切り換えて当該排出媒体を受けることができる媒体受け装置及びその媒体受け装置を備えた記録装置と液体噴射装置を提供すること。【解決手段】  媒体の前方排出と後方排出とを切り換えて当該排出媒体を受ける媒体受け装置４００は、排出される前記媒体を受ける受け部４４０と、前記受け部の一端を後方で支持する第１支持部４１０と、前記受け部の中央を上方で支持する第２支持部４２０と、前記受け部の他端を前方で支持する第３支持部４３０とを有する。そして、前記第２支持部が前後にスライド自在に、前記第３支持部が前後に回動自在に構成されて前記切換を行う。これにより、媒体の前方排出と後方排出とを切り換える際は、第２支持部はスライドさせるが第３支持部は回動させれば良いので、操作が簡易となる。【選択図】      図１１
2006224557.tif 000002
【特許請求の範囲】
【請求項１】
媒体の前方排出と後方排出とを切り換えて当該排出媒体を受ける媒体受け装置であって、
排出される前記媒体を受ける受け部と、
前記受け部の一端を後方で支持する第１支持部と、
前記受け部の中央を上方で支持する第２支持部と、
前記受け部の他端を前方で支持する第３支持部とを有し、
前記第２支持部が前後にスライド自在に、前記第３支持部が前後に回動自在に構成されて前記切換を行うようにしたことを特徴とする媒体受け装置。
【請求項２】
前記媒体の前方排出時は、前記第２支持部を後方へスライドさせ、前記第３支持部を前方へ回動させることを特徴とする請求項１に記載の媒体受け装置。
【請求項３】
前記媒体の後方排出時は、前記第２支持部を前方へスライドさせ、前記第３支持部を後方へ回動させることを特徴とする請求項１に記載の媒体受け装置。
【請求項４】
媒体の前方排出と後方排出とを切り換えて当該排出媒体を受ける媒体受け装置であって、
排出される前記媒体を受ける受け部と、
前記受け部の一端を後方で支持する第１支持部と、
前記受け部の中央を上方で支持する第２支持部と、
前記受け部の他端を前方で支持する第３支持部とを有し、
前記第２支持部及び前記第３支持部が前後に回動自在に構成されて前記切換を行うようにしたことを特徴とする媒体受け装置。
【請求項５】
前記媒体の前方排出時は、前記第２支持部を後方へ回動させ、前記第３支持部を前方へ回動させることを特徴とする請求項４に記載の媒体受け装置。
【請求項６】
前記媒体の後方排出時は、前記第２支持部を前方へ回動させ、前記第３支持部を後方へ回動させることを特徴とする請求項４に記載の媒体受け装置。
【請求項７】
前記第３支持部は、回動したときに、一定角度で停止する構造であることを特徴とする請求項１〜６の何れか一項に記載の媒体受け装置。
【請求項８】
被記録媒体に記録する記録装置であって、
請求項１〜７の何れか一項に記載の媒体受け装置を備えたことを特徴とする記録装置。
【請求項９】
被噴射媒体に液体を噴射する液体噴射装置であって、
請求項１〜７の何れか一項に記載の媒体受け装置を備えたことを特徴とする液体噴射装置。
【発明の詳細な説明】
【技術分野】
【０００１】
本発明は、媒体の前方排出と後方排出とを切り換えて当該排出媒体を受ける媒体受け装置及びその媒体受け装置を備えた記録装置と液体噴射装置に関する。
【背景技術】
【０００２】
被記録媒体として例えばＪＩＳ規格のＡ０判やＪＩＳ規格のＢ０判といった比較的大型のサイズの用紙にまで記録できる大型の記録装置の１つであるインクジェット式プリンタがある。このような大型のインクジェット式プリンタの場合、記録が完了した用紙は、プリンタ本体の下方に配設された排紙受け装置により受け取られるが、その際に用紙の種類によって前方排紙又は後方排紙に振り分けられるようになっている。この排紙受け装置は、柔軟性を有するシート部材と、前後にスライド可能であって、シート部材の各角部を係止可能な複数の係止部材とを有している。そして、複数の係止部材を所定位置にそれぞれスライドさせて、各係止部材にシート部材の各角部をそれぞれ係止することにより、前方排紙と後方排紙とを切り換えるようになっている（特許文献１参照）。
【０００３】
【特許文献１】特開２００２−２１１８２１号公報
【発明の開示】
【発明が解決しようとする課題】
【０００４】
上述した排紙受け装置では、前方排紙と後方排紙とを切り換える場合、複数の係止部材を所定位置にそれぞれスライドさせて、各係止部材にシート部材の各角部をそれぞれ係止する必要があるため、操作が煩雑であった。
【０００５】
本発明は、上記のような種々の課題に鑑みなされたものであり、その目的は、簡易な操作で媒体の前方排出と後方排出とを切り換えて当該排出媒体を受けることができる媒体受け装置及びその媒体受け装置を備えた記録装置と液体噴射装置を提供することにある。
【課題を解決するための手段】
【０００６】
上記目的達成のため、本発明の媒体の前方排出と後方排出とを切り換えて当該排出媒体を受ける媒体受け装置では、排出される前記媒体を受ける受け部と、前記受け部の一端を後方で支持する第１支持部と、前記受け部の中央を上方で支持する第２支持部と、前記受け部の他端を前方で支持する第３支持部とを有し、前記第２支持部が前後にスライド自在に、前記第３支持部が前後に回動自在に構成されて前記切換を行うようにしたことを特徴としている。これにより、媒体の前方排出と後方排出とを切り換える際は、第２支持部はスライドさせるが第３支持部は回動させれば良いので、操作が簡易となる。
【０００７】
また、前記媒体の前方排出時は、前記第２支持部を後方へスライドさせ、前記第３支持部を前方へ回動させることを特徴としている。これにより、前方の排出スペースを広げることができる。また、前記媒体の後方排出時は、前記第２支持部を前方へスライドさせ、前記第３支持部を後方へ回動させることを特徴としている。これにより、後方の排出スペースを広げることができる。
【０００８】
上記目的達成のため、本発明の媒体の前方排出と後方排出とを切り換えて当該排出媒体を受ける媒体受け装置では、排出される前記媒体を受ける受け部と、前記受け部の一端を後方で支持する第１支持部と、前記受け部の中央を上方で支持する第２支持部と、前記受け部の他端を前方で支持する第３支持部とを有し、前記第２支持部及び前記第３支持部が前後に回動自在に構成されて前記切換を行うようにしたことを特徴としている。これにより、媒体の前方排出と後方排出とを切り換える際は、第２支持部及び第３支持部は回動させれば良いので、操作がさらに簡易となる。
【０００９】
また、前記媒体の前方排出時は、前記第２支持部を後方へ回動させ、前記第３支持部を前方へ回動させることを特徴としている。これにより、前方の排出スペースを広げることができる。また、前記媒体の後方排出時は、前記第２支持部を前方へ回動させ、前記第３支持部を後方へ回動させることを特徴としている。これにより、後方の排出スペースを広げることができる。また、前記第３支持部は、回動したときに、一定角度で停止する構造であることを特徴としている。これにより、受け部が床と接触してしまうことを防止することができる。
【００１０】
上記目的達成のため、本発明の被記録媒体に記録する記録装置では、上記各媒体受け装置を備えたことを特徴としている。これにより、上記各作用を奏する記録装置を提供することができる。また、上記目的達成のため、本発明の被噴射媒体に液体を噴射する液体噴射装置では、上記各媒体受け装置を備えたことを特徴としている。これにより、上記各作用を奏する液体噴射装置を提供することができる。
【発明を実施するための最良の形態】
【００１１】
図１は、本発明の実施の形態に係る記録装置の１つであるプリンタの構成例を示す斜視図であり、図２は、そのプリンタの主要部の内部構成例を示す斜視図である。図１及び図２に示すプリンタ１００は、例えばＪＩＳ規格のＡ０判やＪＩＳ規格のＢ０判といった比較的大型のサイズの記録用紙にまで記録できる大型のインクジェット式プリンタであり、給紙部１１０、記録部１２０、排紙部１３０、脚部１４０がこの順で上部から配設された構成となっている。給紙部１１０は一体化された記録部１２０と排紙部１３０に対して分離可能に構成されており、これらはプリンタ本体として構成されている。そして、このプリンタ本体は脚部１４０に対して分離可能に構成されている。
【００１２】
給紙部１１０は、図１に示すように、記録部１２０の上部後方に突き出るように設けられている。そして、給紙部１１０の内部には、図２に示すように、２本のロール紙（記録用紙）がセット可能なロール紙ホルダ１１１が斜め上下に設けられ、給紙部１１０の前面には、図１及び図２に示すように、跳ね上げ式の開閉可能なロール紙カバー１１２がロール紙ホルダ１１１を覆うように取り付けられている。
【００１３】
ロール紙ホルダ１１１は、図２に示すように、ロール紙を保持するスピンドル１１３と、給紙部１１０の両側壁内面に取り付けられて、スピンドル１１３の着脱及び懸架が可能な一対のスピンドル受け１１４、１１５を備えている。そして、スピンドル１１３は、中央にロール紙が装着された後、両端がスピンドル受け１１４、１１５に装着され、回転可能に軸支持されるようになっている。ロール紙カバー１１２は、図１及び図２に示すように、上部が回動可能に支持されており、下部を持って持ち上げ、あるいは押し下げることにより開閉するようになっている。
【００１４】
記録部１２０は、図２に示すように、記録ヘッド１２１を搭載したキャリッジ１２２、記録ヘッド１２１と記録を実行する為の図示しない制御部とを接続するフレキシブルフラットケーブル（以下、ＦＦＣという）１２３、記録ヘッド１２１とインクが入った図示しないインクカートリッジとをつなぐインクチューブ１２４、ロール紙を副走査方向に搬送する図示しない紙送りローラ、ロール紙の浮き上がりを防止する図示しない紙吸引手段等を備えている。そして、記録部１２０の上面及び前面には、図１及び図２に示すように、上蓋１２５及び前蓋１２６が記録ヘッド１２１やキャリッジ１２２等を覆うように取り付けられている。
【００１５】
記録ヘッド１２１は、ブラックインクを吐出するブラックインク用記録ヘッドと、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１６】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００１７】
ＦＦＣ１２３は、一端が制御部のコネクタに接続され、他端が記録ヘッド１２１のコネクタに接続されており、記録信号を制御部から記録ヘッド１２１に送るようになっている。インクチューブ１２４は、各色のインク用が配設されており、図示しないインク加圧供給手段を介して各一端が対応する各色のインクカートリッジにつながれ、各他端が対応する各色の記録ヘッド１２１につながれている。
【００１８】
そして、インクチューブ１２４は、インク加圧供給手段によって加圧された各色のインクをインクカートリッジから記録ヘッド１２１に送るようになっている。前蓋１２６は、図１及び図２に示すように、下部が回動可能に支持されており、上部を持って押し下げ、あるいは押し上げることにより開閉するようになっている。
【００１９】
排紙部１３０は、図１及び図２に示すように、ロール紙を副走査方向に搬送する経路の一部を成す排紙ガイド１３１と、ロール紙を副走査方向に搬送する図示しない排紙ローラを備えている。また、排紙部１３０の前面側から見て右側には、図１及び図２に示すように、インクカートリッジを収納保持するカートリッジホルダ１５０が配設されている。
【００２０】
脚部１４０は、図１及び図２に示すように、移動用のコロ１４１を有する２本の支持柱１４２と、これらの支持柱１４２の間に掛け渡されている補強棒（支持柱）１４３を備えている。そして、支持柱１４２の上部にプリンタ本体１１０、１２０、１３０が載置されネジ止め固定されるようになっている。
【００２１】
このような構成において、インクジェット式プリンタ１００を使用する場合は、先ず、給紙部１１０からロール紙ホルダ１１１を構成するスピンドル１１３を取り出し、図３に示すように、スピンドル１１３に挿入されているロール紙押さえ１１３ａをスピンドル１１３の一端から引き抜く。
【００２２】
そして、図４に示すように、スピンドル１１３の一端をロール紙Ｒの軸穴Ｃの一端から挿入して貫通させ、図５に示すように、ロール紙Ｒの軸穴Ｃの一端をスピンドル１１３の他端側に挿入固定されているロール紙押さえ１１３ｂにはめ込んで当接させる。続いて、ロール紙押さえ１１３ａをスピンドル１１３の一端から挿入して、ロール紙Ｒの軸穴Ｃの他端にはめ込む。これにより、ロール紙Ｒはスピンドル１１３と共に回転可能となる。
【００２３】
次に、図６に示すように、ロール紙Ｒが挿入されたスピンドル１１３の両端を持ってインクジェット式プリンタ１００の前後方向に対して斜めに向けた状態、すなわちロール紙Ｒが挿入されたスピンドル１１３の他端側を一方のスピンドル受け１１４に向けた状態にする。
【００２４】
ここで、このスピンドル受け１１４は水平方向に回転可能に構成されており、通常はスピンドル１１３の端部を受ける各スピンドル受け１１４、１１５の窪み１１４ａ、１１５ａは対向させておくが、ロール紙Ｒが挿入されたスピンドル１１３をセットするときは、図７に示すように、一方のスピンドル受け１１４を回転させて他方のスピンドル受け１１５に対して約４５度の角度を付けておく。
【００２５】
その後、ロール紙Ｒが挿入されたスピンドル１１３の他端部を一方のスピンドル受け１１４の窪み１１４ａに掛け、ロール紙Ｒが挿入されたスピンドル１１３と共にそのスピンドル受け１１４を回転させる。そして、各スピンドル受け１１４、１１５の窪み１１４ａ、１１５ａを対向させて、ロール紙Ｒが挿入されたスピンドル１１３の一端部を他方のスピンドル受け１１５の窪み１１５ａに掛ける。これにより、ロール紙Ｒが挿入されたスピンドル１１３を給紙部１１０に容易にセットすることができる。
【００２６】
次に、図８に示すように、ロール紙Ｒの先端を下方に引き出して記録部１２０の搬送経路を通し、さらに図９に示すように、排紙部１３０の搬送経路まで通す。そして、図１０に示すように、ロール紙Ｒを巻き取り方向に回転させてロール紙Ｒの先端を例えば排紙ガイド１３１に形成されているマーカＭに位置決めする。その後、インクジェット式プリンタ１００を起動して、ロール紙Ｒを副走査方向に給紙しつつ記録ヘッド１２１を主走査方向に移動させながらインク滴を吐出させ、ロール紙Ｒに所定の情報を記録して排紙する。
【００２７】
図１１及び図１２は、本発明の特徴的な部分である用紙受け装置の概略を示す斜視図である。この用紙受け装置４００は、図１１に示す脚部１４０の各支持柱１４２の後部に配設された一対の後部フック部材（第１支持部）４１０、支持柱１４２の前部の上部に配設された前部上フック部材（第２支持部）４２０及び支持柱１４２の前部の下部に配設された前部下フック部材（第３支持部）４３０と、図１２に示すシート部材（受け部）４４０を備えている。
【００２８】
各後部フック部材４１０は、ピン状に形成されて各支持柱１４２の後部上面にそれぞれ立設されている。前部上フック部材４２０は、略Ｕ字状に形成されて支持柱１４２間に配置され、各支持柱１４２の前部の上部に対向するようにそれぞれ配設されたフックホルダ４２５（図１４参照）にスライド自在に保持されている。前部下フック部材４３０は、略Ｕ字状に形成されて支持柱１４２間に配置され、各支持柱１４２の前部の下部に回動自在に取り付けられている。
【００２９】
図１３（Ａ）、（Ｂ）、（Ｃ）は、前部上フック部材４２０の詳細を示す三面図である。この前部上フック部材４２０は、ステンレス等の金属で成る棒材４２２の先端がＵ字状に曲げられており、後端にプラスチックで成る保持材４２３がはめ込まれた構成となっている。この保持材４２３には、後で詳述する案内部４２３ａ及び係止部４２３ｂが突出形成されている。
【００３０】
図１４は、フックホルダ４２５の詳細を示す斜視図である。このフックホルダ４２５は、第１のフックホルダ４２６と第２のフックホルダ４２７を備えている。第１のフックホルダ４２６には、上記保持材４２３の案内部４２３ａが挿入可能な一端側から他端側に貫通した第１の溝部４２６ａと、この第１の溝部４２６ａ内に形成され、上記棒材４２２がスライド可能にはめ込まれる第２の溝部４２６ｂが形成されている。
【００３１】
第２のフックホルダ４２７には、上記保持材４２３の案内部４２３ａが挿入可能な一端が閉じた溝部４２７ａと、この溝部４２７ａの閉じた端部内に形成され、上記保持材４２３の係止部４２３ｂが着脱される凹部４２７ｂが形成されている。そして、第１のフックホルダ４２６と第２のフックホルダ４２７は、第１の溝部４２６ａと溝部４２７ａが間隔をあけて連なるように配設されている。
【００３２】
このような構成において、各前部上フック部材４２０は、図１１に示すように、図示矢印ａ方向、すなわちインクジェット式プリンタ１００の前面方向に引き出し・背面方向に押し込み可能になっている。すなわち、前部上フック部材４２０がインクジェット式プリンタ１００の前面側にて完全に引き出されているときは、図１５（Ａ）に示すように、棒材４２２は第１のフックホルダ４２６の第２の溝部４２６ｂに沿って後端方向へスライドし、保持材４２３の案内部４２３ａが第１のフックホルダ４２６の第１の溝部４２６ａ内にはまり込んでいる。これにより、前部上フック４２１は位置決め固定されるようになっている。
【００３３】
一方、前部上フック部材４２０がインクジェット式プリンタ１００の前面側にて完全に押し込まれているときは、図１５（Ｂ）に示すように、棒材４２２は第１のフックホルダ４２６の第２の溝部４２６ｂに沿って先端方向へスライドし、保持材４２３の案内部４２３ａが第２のフックホルダ４２６の溝部４２７ａに沿って閉じた端部側にスライドして、保持材４２３の係止部４２３ｂが凹部４２７ｂ内にはまり込んでいる。これにより、前部上フック４２１は位置決め固定されるようになっている。
【００３４】
シート部材４４０は、図１２に示すように、布もしくは軟質プラスチックシートで矩形状に形成されており、両端部とその中間部は３本のシャフト４４１、４４２、４４３にそれぞれ沿って係留されている。そして、各シャフト４４１、４４２、４４３が、後部フック部材４１０、前部上フック部材４２０、前部下フック部材４３０に係止されるようになっている。通常、各シャフト４４１、４４２、４４３は、それぞれ平行となるように各フック４１０、４２０、４３０に係止される。なお、シート部材４４０は、後部フック部材４１０、前部上フック部材４２０、前部下フック部材４３０に対し着脱自在に構成したが、装着固定に構成しても良い。
【００３５】
以上のような構成の受け装置４００は、前部上フック部材４２０及び前部下フック部材４３０の配置形態のみを変化させることにより使用態様を変更することが可能となっている。すなわち、前部上フック部材４２０を前後にスライドさせ、前部下フック部材４３０を前後に回動させることにより、前方排紙モードと後方排紙モードに切り換えることができる。このようなモードを変更する際のユーザの動作を図１６及び図１７を参照して説明する。
【００３６】
図１６は、前方排紙モードを示す図である。ここで、シート部材４４０は、既に、シャフト４４２の両端部が各後部フック部材４１０に差し込まれ、シャフト４４３の両端部が前部上フック部材４２０のＵ字状先端部に掛けられ、シャフト４４１の両端部が前部下フック部材４３０のＵ字状先端部に掛けられているものとする。先ず、前部上フック部材４２０をインクジェット式プリンタ１００の後方にスライドさせて完全に押し込み、続いて、前部下フック部材４３０をインクジェット式プリンタ１００の前方に回動させて略水平とする。なお、支持柱１４２には、前部下フック部材４３０の回動を略水平状態で停止させるストッパが設けられている。
【００３７】
これにより、前部上フック部材４２０のＵ字状先端部は排紙部１３０よりも後方へ引っ込んだ状態になり、前部上フック部材４２０に係止されているシャフト４４３から前部下フック部材４３０に係止されているシャフト４４１までの間のシート部材４４０はインクジェット式プリンタ１００の前面側に緩やかに垂れ落ちた状態になる。したがって、排紙部１３０から排出される用紙を前方で受ける前方排紙モードに容易に切り替えることができる。
【００３８】
図１７は、後方排紙モードを示す図である。ここで、シート部材４４０は、既に、シャフト４４２の両端部が各後部フック部材４１０に差し込まれ、シャフト４４３の両端部が前部上フック部材４２０のＵ字状先端部に掛けられ、シャフト４４１の両端部が前部下フック部材４３０のＵ字状先端部に掛けられているものとする。先ず、前部上フック部材４２０をインクジェット式プリンタ１００の前方にスライドさせて完全に引き出し、続いて、前部下フック部材４３０をインクジェット式プリンタ１００の後方に回動させて略垂直とする。なお、支持柱１４２には、前部下フック部材４３０の回動を略垂直状態で停止させるストッパが設けられている。
【００３９】
これにより、前部上フック部材４２０のＵ字状先端部は排紙部１３０よりも前方へ引き出された状態になり、前部上フック部材４２０に係止されているシャフト４４３から後部フック部材４１０に係止されているシャフト４４２までの間のシート部材４４０はインクジェット式プリンタ１００の背面側に緩やかに垂れ落ちた状態になる。したがって、排紙部１３０から排出される用紙を後方で受ける後方排紙モードに容易に切り替えることができる。なお、このときの前部上フック部材４２０に係止されているシャフト４４３から前部下フック部材４３０に係止されているシャフト４４１までの間のシート部材４４０は、Ｕ字状に折り畳められてコンパクトに収納されることになる。
【００４０】
以上のように、本実施形態の用紙受け装置４００によれば、シート部材４４０の上部を支持する前部上フック部材４２０はスライド自在な略Ｕ字状の一部材で構成し、シート部材４４０の下部を支持する前部下フック部材４３０は回動自在な略Ｕ字状の一部材で構成したので、ユーザはその場で片手でも前方排紙モードと後方排紙モードに簡易に切り換えることができる。なお、シート部材４４０の上部を支持する前部上フック部材４２０も回動自在な略Ｕ字状の一部材で構成することができ、さらに上記切り換えが簡易になる。このときの前部上フック部材４２０の回動は、前部下フック部材４３０の回動が上向きであったのに対し、下向きにすることにより、構成をコンパクトにすることができる。
【００４１】
また、前部上フック部材４２０及び前部下フック部材４３０は略Ｕ字状の一部材で構成したので強度を高めることができ、操作時に変形してしまうような事態を防止することができる。また、前部下フック部材４３０の回動を規制するストッパを設けたので、シート部材４４０と床との接触を回避することができ、シート部材４４０の汚染や破損等を防止することができる。また、シート部材４４０は従来よりも使用量を削減することができるので、コストダウンすることができる。
【産業上の利用可能性】
【００４２】
媒体受け装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４３】
【図１】本発明の実施の形態に係るプリンタの構成例を示す斜視図である。
【図２】図１のプリンタの主要部の内部構成例を示す斜視図である。
【図３】図１のプリンタの使用手順を示す第１の図である。
【図４】図１のプリンタの使用手順を示す第２の図である。
【図５】図１のプリンタの使用手順を示す第３の図である。
【図６】図１のプリンタの使用手順を示す第４の図である。
【図７】図１のプリンタの使用手順を示す第５の図である。
【図８】図１のプリンタの使用手順を示す第６の図である。
【図９】図１のプリンタの使用手順を示す第７の図である。
【図１０】図１のプリンタの使用手順を示す第８の図である。
【図１１】本発明の実施形態の用紙受け装置を示す第１の斜視図である。
【図１２】本発明の実施形態の用紙受け装置を示す第２の斜視図である。
【図１３】図１１の用紙受け装置の前部上フックの詳細を示す三面図である。
【図１４】図１１の用紙受け装置のフックホルダの詳細を示す斜視図である。
【図１５】図１３及び図１４の前部上フック部材の動作を示す側面図である。
【図１６】図１１の用紙受け装置の前方排紙モードを示す図である。
【図１７】図１１の用紙受け装置の後方排紙モードを示す図である。
【符号の説明】
【００４４】
１００  プリンタ、１１０  給紙部、１１１  ロール紙ホルダ、１１２  ロール紙カバー、１１３  スピンドル、１１４  スピンドル受け、１１５  スピンドル受け、１２０  印刷部、１２１  プリントヘッド、１２２  キャリッジ、１２３  ＦＦＣ、１２４  インクチューブ、１２５  上蓋、１２６  前蓋、１２７  レール、１２８  キャリッジベルト、１３０  排紙部、１３１  排紙ガイド、１３２  サイドカバー、１４０  脚部、１４１  コロ、１４２  支持柱、１４３  補強棒、１５０  カートリッジホルダ、４００  用紙受け装置、４１０  後部フック部材、４２０  前部上フック部材、４３０  前部下フック部材、４３５  フックホルダ、４４０  シート部材、４４１、４４２、４４３  シャフト
【図１】
2006224557.tif 000003
【図２】
2006224557.tif 000004
【図３】
2006224557.tif 000005
【図４】
2006224557.tif 000006
【図５】
2006224557.tif 000007
【図６】
2006224557.tif 000008
【図７】
2006224557.tif 000009
【図８】
2006224557.tif 000010
【図９】
2006224557.tif 000011
【図１０】
2006224557.tif 000012
【図１１】
2006224557.tif 000013
【図１２】
2006224557.tif 000014
【図１３】
2006224557.tif 000015
【図１４】
2006224557.tif 000016
【図１５】
2006224557.tif 000017
【図１６】
2006224557.tif 000018
【図１７】
2006224557.tif 000019